(57)【要約】【課題】意匠性の向上を図ることができ、植物の生育も良好で、しかも施工性にも優れた勾配屋根の緑化構造を提供する。【解決手段】この緑化構造は、勾配屋根の屋根下地面１上に、複数の緑化用下地板２・・を並設して、これら緑化用下地板２・・上に設置した複数の植栽基盤３０・・に植物５０を植え付けたものであって、植栽基盤群９０の棟側端部９１、軒側端部９２、けらば側端部９３、壁当たり側端部等の各端部を、勾配屋根に取り付けた枠部材６０、７０、８０の内側に夫々入り込ませて覆い隠すようにしている。枠部材６０、７０、８０としては、瓦屋根において使用する枠部材と同じ仕様のものを用いている。【選択図】図１２
2008184796.tif 000002
【特許請求の範囲】
【請求項１】
勾配屋根の屋根下地面（１）上に、複数の緑化用下地板（２）・・を並設するとともに、これら緑化用下地板（２）・・上に設置した複数の植栽基盤（３０）・・に植物（５０）を植え付けた勾配屋根の緑化構造であって、植栽基盤群（９０）の棟側端部（９１）、軒側端部（９２）、けらば側端部（９３）、壁当たり側端部等の各端部を、前記勾配屋根に取り付けた枠部材（６０）（７０）（８０）の内側に入り込ませて覆い隠すようにしたことを特徴とする勾配屋根の緑化構造。
【請求項２】
前記植栽基盤群（９０）の各端部（９１）（９２）（９３）を除いた中間部に前記植物（５０）を植え付けるようにした請求項１記載の勾配屋根の緑化構造。
【請求項３】
前記勾配屋根の屋根下地面（１）から前記植栽基盤（３０）・・の上面までの厚みを、前記勾配屋根の屋根下地面（１）に瓦を葺設するときの屋根下地面（１）から前記瓦の上面までの厚み以下にした請求項１又は２記載の勾配屋根の緑化構造。
【請求項４】
前記枠部材（６０）（７０）（８０）として、瓦屋根において使用する枠部材と同じ仕様のものを用いるようにした請求項１乃至３のいずれかに記載の勾配屋根の緑化構造。
【発明の詳細な説明】
【技術分野】
【０００１】
この発明は、戸建て住宅等の勾配屋根を芝生等の植物によって緑化するための緑化構造に関する。
【背景技術】
【０００２】
近年、都市部においては、街並みの景観向上、大気汚染やヒートアイランド現象の緩和等を目的として、建物の緑化対策が進められている。この建物の緑化対策としては、建物の屋上面において植物を植栽した屋上緑化、建物の外壁面において植物を植栽した壁面緑化が一般的であり、また戸建て住宅の勾配屋根において植物を植栽する勾配屋根緑化も見受けられる。
【０００３】
勾配屋根の緑化構造としては、例えば、特許文献１に開示されているように、植栽基盤の滑りを防止するアングルを備えた複数の緑化用下地板を、屋根下地面に順次並設して、それら緑化用下地板上に載せた植栽基盤に植物を植え付けるようにしたものが提案されている。また、特許文献２に開示されているように、桁行方向に沿った複数のアングル及びけらば端部に沿ったアングルを屋根下地面に立設して、これらアングルによって囲まれた屋根下地面上の空間に配置した植栽基盤に植物を植え付けるようにしたものも提案されている。
【０００４】
【特許文献１】特開２００４−１５０１３９号公報
【特許文献２】特開平８−１３７１３号公報
【発明の開示】
【発明が解決しようとする課題】
【０００５】
しかしながら、特許文献１に開示されているような勾配屋根の緑化構造においては、植栽基盤群のけらば側端部が露出した状態となっていて、また植栽基盤群の軒側端部においても、その端面のみが薄肉のアングルによって覆われているだけに過ぎず、これら端部の見栄えが悪くなっていて、勾配屋根全体としての意匠性が損なわれていた。しかも、植栽基盤群の各端部においては、乾燥し易く、しかも植え付けた植物が十分に根を生やすことができないことから、植物が枯れ易くなるといった問題もあった。
【０００６】
特許文献２に開示されているような勾配屋根の緑化構造の場合も同様に、植栽基盤群の軒側端部及びけらば側端部において、それら端面のみが薄肉のアングルによって覆われているだけに過ぎず、勾配屋根全体としての意匠性に乏しく、植栽基盤上の植物の生育にも問題があった。
【０００７】
この発明は、上記不具合を解決するため、意匠性の向上を図ることができ、植物の生育も良好で、しかも施工性にも優れた勾配屋根の緑化構造の提供を目的とする。
【課題を解決するための手段】
【０００８】
上記課題を解決するため、この発明の勾配屋根の緑化構造は、勾配屋根の屋根下地面１上に、複数の緑化用下地板２・・を並設するとともに、これら緑化用下地板２・・上に設置した複数の植栽基盤３０・・に植物５０を植え付けたものであって、植栽基盤群９０の棟側端部９１、軒側端部９２、けらば側端部９３、壁当たり側端部等の各端部を、前記勾配屋根に取り付けた枠部材６０、７０、８０の内側に夫々入り込ませて覆い隠すようにしたことを特徴とする。
【０００９】
具体的には、前記植栽基盤群９０の各端部９１、９２、９３を除いた中間部に前記植物５０を植え付けるようにしている。また、前記勾配屋根の屋根下地面１から前記植栽基盤３０・・の上面までの厚みを、前記勾配屋根の屋根下地面１に瓦を葺設するときの屋根下地面１から前記瓦の上面までの厚み以下にしている。さらに、前記枠部材６０、７０、８０として、瓦屋根において使用する枠部材と同じ仕様のものを用いている。
【発明の効果】
【００１０】
この発明の勾配屋根の緑化構造では、植栽基盤群の棟側端部、軒側端部、けらば側端部、壁当たり側端部等の各端部を、勾配屋根の棟部、軒部、けらば部、壁当たり部等の各部に取り付けた枠部材の内側に夫々入り込ませて覆い隠しているので、従来のように植栽基盤群の端部が露出したり、植栽基盤群の端面のみが薄肉のアングルで覆われた構造のものと比較して、見栄えを良好にして、勾配屋根全体として一体感を高めることができ、意匠性の向上を図ることができる。
【００１１】
しかも、勾配屋根の棟部、軒部、けらば部、壁当たり部等の各部の近くに植え付けられた植物であっても、枠部材の内側に入り込んでいる植栽基盤群の各端部を利用して根を十分に生やして水分を確保することができ、従って勾配屋根の全面に亘って植物を枯らすことなく良好に生育することができる。
【００１２】
また、勾配屋根の屋根下地面から植栽基盤の上面までの厚みを、勾配屋根の屋根下地面に瓦を葺設するときの屋根下地面から瓦の上面までの厚み以下にすることで、勾配屋根の棟部、軒部、けらば部、壁当たり部等の各部の納まりにおいて、緑化構造特有のシステムを新たに構築することなく、瓦屋根のシステムとの互換性を持たせることができる。特に、瓦屋根において使用する枠部材と同じ仕様の枠部材を用いて、植栽基盤群の各端部を覆い隠すことで、設計費や施工費を格段に抑えることがき、また瓦屋根との併用も容易に実現することができる。
【発明を実施するための最良の形態】
【００１３】
以下、この発明の一実施形態に係る勾配屋根の緑化構造を、その施工手順に従って図面に基づいて詳細に説明する。まず、図１に示すように、勾配屋根の屋根下地面１上に、勾配方向に沿った複数の緑化用下地板２・・を桁行方向に並設する。なお、屋根板地面１は、野地板３上にルーフィング４を敷設して防水処理を施すことによって構成された防水面である。また、図１中、Ａは勾配方向、Ｂは桁行方向を示している。
【００１４】
各緑化用下地板２は、例えば鋼板製であって、その板本体５の勾配方向に沿った両端部を折曲することによって立上がり片６、６が形成されている。なお、これら立上がり片６、６の上端部は、互いに近接する方向に鋭角状に折り返されている。また、緑化用下地板２には、立上がり片６、６間において勾配方向に間隔をあけて桁行方向に沿った複数の滑り止め片７・・が立設されている。このように、緑化用下地板２は、立上がり片６、６や滑り止め片７・・を有していることから、長尺の緑化用下地板２であってもその撓みやしなりを抑えることができ、運搬や敷設を良好に行うことができる。
【００１５】
緑化用下地板２・・の並設に際しては、予め屋根下地面１に対して緑化用下地板２・・の割り付けを行い、その割り付けに応じて屋根下地面１に吊子１０・・を取り付けておく。各吊子１０は、例えば金属製であって、図２に示すように、屋根下地面１にビス止め固定されるビス孔１１、１１付きの固定片１２と、この固定片１２から立ち上がった垂直片１３と、この垂直片１３の上端部から互いに相対する方向に鋭角状に折り返された一対の係合片１４、１４を備えている。
【００１６】
そして、隣接する緑化用下地板２、２の立上がり片６、６によって吊子１０の垂直片１３を挟み込みながら、それら立上がり片６、６の上端部に係合片１４、１４を夫々被せるように係合させることで、緑化用下地板２・・が、吊子１０・・によって係止された状態で割り付け位置に位置決めされる。このとき、隣接する緑化用下地板２、２の立上がり片６、６同士は、互いに重ね合わされた状態となっている。そして、これら立上がり片６、６の上端部間には、防止材１５が貼り付けられて、重ね合わされた立上がり片６、６間の隙間からの水の浸入が防止され、雨仕舞いを良好にしている（図５参照）。
【００１７】
続いて、図３に示すように、隣接する緑化用下地板２、２の互いに重ね合わされた立上がり片６、６に、勾配方向に沿った連結キャップ２０を被せることで、隣接する緑化用下地板２、２を連結する。このとき、吊子１０・・も連結キャップ２０によって覆い隠される。
【００１８】
各連結キャップ２０は、例えば金属製であって、図４に示すように、その上端部を構成する略先鋭状の頂片２１と、この頂片２１の下端部から下方へ延出した一対の側片２２、２２とからなり、側片２２、２２は、その中間部が互いに近接する方向にく字状に折曲され、その下端部が互いに近接する方向に折り返しされている。この連結キャップ２０を、緑化用下地板２、２の立上がり片６、６に対して上方から被せると、側片２２、２２が立上がり片６、６の折り返し部に当接して互いに離間する方向に押し広げられ、立上がり片６、６の折り返し部が頂片２１内に納まったときに、側片２２、２２が元の状態に復帰するようになっている。この状態において、図５に示すように、立上がり片６、６の折り返し部が連結キャップ２０の側片２２、２２の折曲部に引っ掛かって、連結キャップ２０の抜けが防止されるようになっている。なお、図５において、２４は鋼製母屋である。
【００１９】
このようにして複数の連結キャップ２０・・を取り付けることで、図３に示すように、緑化用下地板２・・上に、連結キャップ２０・・と滑り止め片７・・とによって囲まれた基盤設置領域２５・・が格子状に区画形成される。また、連結キャップ２０・・と滑り止め片７・・との間には、緑化用下地板２・・上を勾配方向に沿って流れる水を軒側へ逃がすための排水用の隙間２６・・が確保されている。なお、排水用の隙間２６・・は、連結キャップ２０・・と滑り止め片７・・との間だけでなく、例えば滑り止め片７・・の桁行方向の中間部にも形成しても良い。このように、排水用の隙間２６・・を確保することで、例えば激しい降雨や過剰給水等によって余剰水が生じた場合でも、排水用の隙間２６・・を通じて余剰水を軒側へ速やかに排出することができ、植物の根腐れ等を防止することができる。
【００２０】
そして、図６に示すように、例えば人工軽量土壌等からなる植栽基盤３０・・を基盤設置領域２５・・に夫々設置する。このとき、植栽基盤３０・・の上面が、連結キャップ２０・・の略先鋭状の上端部と略同じ高さに位置し、植栽面において連結キャップ２０・・の上端部が目立たなくなっている。
【００２１】
植栽基盤３０・・を設置した後には、図７に示すように、連結キャップ２０・・に勾配方向に間隔をあけて複数の押さえ部材４０・・を取り付けて、植栽基盤３０・・の上面を押さえ付けるようにしている。各押さえ部材４０は、例えば金属製であって、図８に示すように、連結キャップ２０を挟み込む一対の挟持片４１、４１と、これら挟持片４１、４１の上端部から上方へ延出して互いに重ね合わされた一対の垂直片４２、４２と、これら垂直片４２、４２の上端部から互いに相対する方向へ延出した複数の水平片４３・・と、垂直片４２、４２に取り付けられた一対の略Ｌ字形の押さえ片４４、４４とからなる。挟持片４１、４１は、連結キャップ２０の略相似形に形成されており、連結キャップ２０に対して上方から被せるようにして取り付けられるようになっている。押さえ片４４、４４は、その垂直部４４ａ、４４ａが垂直片４２、４２にボルト４５、４５及びナット４６、４６によって固定されて、水平部４４ｂ、４４ｂが互いに相対する方向へ張り出している。水平片４３・・は、図９に示すように、潅水ホース４７を取り付けるホース取付部とされている。
【００２２】
このように基盤設置領域２５・・に植栽基盤３０・・を設置し、しかもその上面を押さえ部材４０・・によって押さえ付けることで、植生基盤３０・・の勾配方向への滑り及び桁行方向へのずれ、さらには浮き上がりを防止して、勾配屋根に対して植栽基盤３０・・を整然と安定して保持させることができる。なお、植栽基盤３０・・を設置した後に、押さえ部材４０・・を取り付けるだけでなく、押さえ部材４０・・を取り付けた後に、植栽基盤３０・・を設置するようにしても良い。
【００２３】
続いて、図１０に示すように、植栽基盤３０・・上に、例えば芝類やセダム類、多年草等の植物５０を植え付ける。この植え付けは、植栽基盤３０・・の設置前に予め行っておいても良い。このように植物５０を植え付けることで、連結キャップ２０・・の上端部は完全に隠され、また押さえ部材４０・・や潅水ホース４７の一部も植物５０によって埋もれて外部から見え難くなり、見栄えを良好に維持することができる。
【００２４】
このようにして緑化された勾配屋根においては、屋根下地面１から植栽基盤３０・・の上面までの厚みが約５０ｍｍとされており、勾配屋根の屋根下地面１に例えば平板瓦を葺設するときの屋根下地面１から平板瓦の上面までの厚み以下となっている。従って、勾配屋根の棟部、軒部及びけらば部の納まりにおいて、緑化構造特有のシステムを新たに構築することなく、平板瓦を葺設した瓦屋根のシステムとの互換性を持たせることができ、図１１に示すように、瓦屋根において使用する枠部材と同じ仕様の枠部材６０、７０、８０を用いて、複数の植栽基盤３０・・からなる植栽基盤群(植栽基盤全体)９０における棟側端部９１、軒側端部９２、けらば側端部９３を覆い隠し、見栄えを良好にして、勾配屋根全体として一体感を高めている。
【００２５】
図１２は、勾配屋根の棟部の納まりを示している。この棟部においては、植栽基盤群９０の棟側端部９１が枠部材としての換気棟包み６０の内側に入り込んで、棟側端部９１の端面及び上面が覆い隠されている。そして、この棟側端部９１を避けるようにして植物５０が植え付けられている。なお、換気棟包み６０は、換気棟包み下地板６１、６１に固定された換気棟包み取付金具６２に取り付けられている。図１２において、６３は棟捨て水切りである。
【００２６】
これにより、棟部の見栄えを良好にすることができ、また棟部近くに植え付けられた植物５０であっても、換気棟包み６０の内側に入り込んだ植栽基盤群９０の棟側端部９１を利用して根を十分に生やして水分を確保することができ、棟部付近においても植物５０を枯らすことなく良好に生育することができる。
【００２７】
図１３は、勾配屋根の軒部の納まりを示している。この軒部においては、植栽基盤群９０の軒側端部９２が枠部材としての軒先カバー７０の内側に入り込んで、軒側端部９２の端面及び上面が覆い隠されている。そして、この軒側端部９２を避けるようにして植物５０が植え付けられている。なお、軒先カバー７０は、押さえ部材４０のホース取付部４３を利用して取り付けられている。図１３において、７１は連結キャップ２０の軒側端部を塞ぐ小口キャップ、７２は軒先鉄板、７３は鼻隠し鉄板、７４は軒先母屋、７５は軒裏サイディングである。
【００２８】
これにより、軒部の見栄えを良好にすることができ、また軒部近くに植え付けられた植物５０であっても、軒先カバー７０の内側に入り込んだ植栽基盤群９０の軒側端部９２を利用して根を十分に生やして水分を確保することができ、軒部付近においても植物５０を枯らすことなく良好に生育することができる。
【００２９】
図１４は、勾配屋根のけらば部の納まりを示している。このけらば部においては、植栽基盤群９０のけらば側端部９３が枠部材としてのけらば水切り８０の内側に入り込んで、けらば側端部９３の端面及び上面が覆い隠されている。そして、このけらば側端部９３を避けるようにして植物５０が植え付けられている。なお、けらば水切り８０は、その一端部をけらば側に位置する緑化用下地板２の下側にもぐり込ませて、野地板３及び鋼製母屋２４にビス止めされている。図１４において、８１はけらばカバー、８６は植栽基盤群９０のけらば側端部９３上面を押さえ付ける押さえ金具、８２はけらば捨て水切り、８３は破風下地板、８４は破風、８５はけらば野縁である。
【００３０】
これにより、けらば部の見栄えを良好にすることができ、またけらば部近くに植え付けられた植物５０であっても、けらば水切り８０の内側に入り込んだ植栽基盤群９０のけらば側端部９３を利用して根を十分に生やして水分を確保することができ、けらば部付近においても植物５０を枯らすことなく良好に生育することができる。
【００３１】
なお、上記の勾配屋根は、切妻屋根であって建物外壁との壁当たり部分(壁取り合い部分)は存在していないが、例えば下屋屋根のように建物外壁との壁当たり部分が存在する勾配屋根の場合には、植栽基盤群の壁当たり側端部については、建物外壁に取り付けた枠部材であるのし水切りの内側に入り込ませて、植栽基盤群の壁当たり側端部の端面及び上面を覆い隠すようにすれば良い。
【００３２】
この発明は、上記実施形態に限定されるものではなく、この発明の範囲内で上記実施形態に多くの修正及び変更を加え得ることは勿論である。
【図面の簡単な説明】
【００３３】
【図１】この発明の一実施形態に係る勾配屋根の緑化構造における緑化用下地板の敷設時の状態を示す斜視図である。
【図２】吊子の斜視図である。
【図３】連結キャップの取り付け時の状態を示す斜視図である。
【図４】連結キャップの斜視図である。
【図５】連結キャップによる連結状態を示す縦断面図である。
【図６】植栽基盤の設置時の状態を示す斜視図である。
【図７】押さえ部材の取り付け時の状態を示す斜視図である。
【図８】押さえ部材の斜視図である。
【図９】潅水ホースの取り付け時の状態を示す斜視図である。
【図１０】緑化構造の縦断面図である。
【図１１】緑化構造の斜視図である。
【図１２】勾配屋根の棟部の納まりを示す縦断面図である。
【図１３】勾配屋根の軒部の納まりを示す縦断面図である。
【図１４】勾配屋根のけらば部の納まりを示す縦断面図である。
【符号の説明】
【００３４】
１・・屋根下地面、２・・緑化用下地板、３０・・植栽基盤、５０・・植物、６０・・枠部材（換気棟包み）、７０・・枠部材（軒先カバー）、８０・・枠部材（けらば水切り）、９０・・植栽基盤群、９１・・棟側端部、９２・・軒側端部、９３・・けらば側端部
【図１】
2008184796.tif 000003
【図２】
2008184796.tif 000004
【図３】
2008184796.tif 000005
【図４】
2008184796.tif 000006
【図５】
2008184796.tif 000007
【図６】
2008184796.tif 000008
【図７】
2008184796.tif 000009
【図８】
2008184796.tif 000010
【図９】
2008184796.tif 000011
【図１０】
2008184796.tif 000012
【図１１】
2008184796.tif 000013
【図１２】
2008184796.tif 000014
【図１３】
2008184796.tif 000015
【図１４】
2008184796.tif 000016